(57)【要約】【課題】簡単に簡易アルバムの体裁にファイル化することのできる画像記録媒体を提供する。【解決手段】  表面が画像記録面Ｐとされた帯状の長尺シート１に、長手方向に等間隔に、長手方向と直交する方向の複数の山折予定部２と谷折予定部３とを交互に設け、山折予定部２には、表面から裏面へ向けてシート１の厚みの途中までの深さに切り込まれ且つ幅方向に連続した連続ハーフカットライン２０を設け、谷折予定部３には、表面から裏面へ貫通するカット部と非カット部とが交互に並ぶミシン目状の断続カットライン３０を設けた。【選択図】図１
2005074813.tif 000002
【特許請求の範囲】
【請求項１】
表面が画像記録装置による画像記録が可能な画像記録面とされた帯状の長尺シートに、長手方向に等間隔に、長手方向と直交する方向の複数の山折予定部と谷折予定部とを交互に設け、
前記山折予定部には、表面から裏面へ向けてシートの厚みの途中までの深さに切り込まれ且つ幅方向に連続した連続ハーフカットラインを設け、
前記谷折予定部には、表面から裏面へ貫通するカット部と非カット部とが交互に並ぶミシン目状の断続カットラインを設けたことを特徴とする画像記録媒体。
【請求項２】
前記断続カットラインの非カット部のなかに、他の非カット部の長さよりも長いものを少なくとも１つ設けたことを特徴とする請求項１記載の画像記録媒体。
【請求項３】
前記山折予定部で山折りし前記谷折予定部で谷折りすることにより、前記画像記録面を内側に向かい合わせながら折り畳んだことを特徴とする請求項１または２記載の画像記録媒体。
【請求項４】
隣接する前記山折予定部と谷折予定部の間の長さの（４×奇数）倍の全長の画像記録領域を有し、その画像記録領域の全長の１／２の位置にある山折予定部で山折りし、その山折りした位置の両側の全長の１／２の領域の更に各１／２の位置にある谷折予定部で谷折りすることにより、前記画像記録面を内側に向かい合わせながら４つに折り畳んだことを特徴とする請求項３記載の画像記録媒体。
【請求項５】
前記画像記録領域の少なくとも一端に、山折予定部を介して耳を連設したことを特徴とする請求項４記載の画像記録媒体。
【請求項６】
前記画像記録面の最表層が、少なくとも顔料とバインダーとを含んでなるインク受容層であることを特徴とする請求項１〜５の何れか一項に記載の画像記録媒体。
【請求項７】
請求項１〜６のいずれかの画像記録媒体と、この画像記録媒体を全部の前記山折予定部で山折りし全部の前記谷折予定部で谷折りすることにより蛇腹状に折り畳んだ状態のものを挟むための半折り式のカバーと、を組み合わせたことを特徴とするアルバムセット。
【発明の詳細な説明】
【技術分野】
【０００１】
本発明は、例えば、簡易アルバムの作成が容易にできる画像記録媒体、及び、その画像記録媒体を主体とするアルバムセットに関するものである。
【背景技術】
【０００２】
デジタルカメラや高画質プリンタの普及に伴い、家庭でも写真のプリントが手軽にできるようになってきている。例えば、インクジェットプリンタと専用の画像記録媒体を用いることにより、銀塩写真並みの高画質写真プリントができる。
【０００３】
ところで、何かのイベントや旅行の際の一連の写真をプリントした場合、自分で楽しむため、あるいは人に見せるために、手軽な薄手のアルバムによく収めたりする。例えば、１枚１枚の写真を、透明フィルムでカバーした各ページに差し込んで、ファイル化する形式のものがよく見受けられる。
【発明の開示】
【発明が解決しようとする課題】
【０００４】
しかし、家庭などでの手軽な写真のプリントが可能になった現在、１枚１枚の写真を個別にアルバムのポケットに差し込んでファイル化するのは手間がかかって面倒であり、より簡単に閲覧できるような形にすることが望まれる。
【０００５】
本発明は、より簡単に、簡易アルバムの体裁にファイル化することのできる画像記録媒体、及び、その画像記録媒体を主体とするアルバムセットを提供することを目的とする。
【課題を解決するための手段】
【０００６】
請求項１の発明の画像記録媒体は、表面が画像記録装置による画像記録が可能な画像記録面とされた帯状の長尺シートに、長手方向に等間隔に、長手方向と直交する方向の複数の山折予定部と谷折予定部とを交互に設け、前記山折予定部には、表面から裏面へ向けてシートの厚みの途中までの深さに切り込まれ且つ幅方向に連続した連続ハーフカットラインを設け、前記谷折予定部には、表面から裏面へ貫通するカット部と非カット部とが交互に並ぶミシン目状の断続カットラインを設けたことを特徴とする。
【０００７】
請求項２の発明の画像記録媒体は、請求項１において、前記断続カットラインの非カット部のなかに、他の非カット部の長さよりも長いものを少なくとも１つ設けたことを特徴とする。
【０００８】
請求項３の発明の画像記録媒体は、請求項１または２において、前記山折予定部で山折りし前記谷折予定部で谷折りすることにより、前記画像記録面を内側に向かい合わせながら折り畳んだことを特徴とする。
【０００９】
請求項４の発明の画像記録媒体は、請求項３において、隣接する前記山折予定部と谷折予定部の間の長さの（４×奇数）倍の全長の画像記録領域を有し、その画像記録領域の全長の１／２の位置にある山折予定部で山折りし、その山折りした位置の両側の全長の１／２の領域の更に各１／２の位置にある谷折予定部で谷折りすることにより、前記画像記録面を内側に向かい合わせながら４つに折り畳んだことを特徴とする。
【００１０】
請求項５の発明の画像記録媒体は、請求項４において、前記画像記録領域の少なくとも一端に、山折予定部を介して耳を連設したことを特徴とする。
【００１１】
請求項６の発明の画像記録媒体は、前記画像記録面の最表層が、少なくとも顔料とバインダーとを含んでなるインク受容層であることを特徴とする。
【００１２】
請求項７の発明のアルバムセットは、請求項１〜６のいずれかの画像記録媒体と、この画像記録媒体を全部の前記山折予定部で山折りし全部の前記谷折予定部で谷折りすることにより蛇腹状に折り畳んだ状態のものを挟むための半折り式のカバーと、を組み合わせたことを特徴とする。
【発明の効果】
【００１３】
請求項１の発明によれば、画像記録面に画像を記録した後で、山折予定部で山折りし、谷折予定部で谷折りすることにより、画像記録媒体を蛇腹状に折り畳むことができ、そのまま手軽に簡易アルバムの体裁にすることができる。また、折り曲げ部を伸ばせば、見開き画像やパノラマを閲覧することもできる。また、この場合、山折予定部には連続ハーフカットラインを設け、谷折予定部にはミシン目状の断続カットラインを設けたので、たやすくきれいに蛇腹状に折り畳むことができ、各辺をずれなく揃えることができて、見栄えもよくなる。特に、山折予定部は、表面側から形成した連続ハーフカットラインで折り曲げることができるので、ミシン目と違い、体裁の良い簡易アルバムを作成することができる。また、谷折予定部には、表面から裏面へ貫通するカット部と非カット部とが交互に並ぶミシン目状の断続カットラインを設けたので、山折予定部の連続ハーフカットラインを含めて全てのカットラインを、表面側から（同一方向から）加工することができ、製作の容易化を図ることができる。
【００１４】
請求項２の発明によれば、断続カットラインの非カット部のなかに、他の非カット部の長さよりも２倍以上長いものを少なくとも１つ設けたので、折り曲げ部の耐久性を高めることができる。
【００１５】
また、本発明の画像記録媒体は、ユーザによる画像印刷を考えた場合、できるだけ折り畳まない形で商品としてパッケージ化するのが望ましいが、実際は長尺の製品であるため、折り畳まない状態で商品化することは難しい。この点、請求項３の発明によれば、山折予定部で山折りし谷折予定部で谷折りすることにより、画像記録面を内側に向かい合わせながら折り畳んでいるので、無理な形での折りぐせをつけずに、全部の画像記録面を保護しながら、できるだけ小さい形での商品化が可能になる。従って、プリント画質の劣化を少なくできる。
【００１６】
請求項４の発明によれば、４つ折りすることで山折り部が１箇所で済むので、プリンタに通紙する際に引っ掛かりが少なく、画質の劣化を少なくできる。
【００１７】
請求項５によれば、画像記録領域の少なくとも一端に山折予定部を介して耳を連設したので、この耳を閉じ代として、例えばカバーと共にファイル化することができる。また、この耳は、プリンタに通紙する際の媒体支持の安定化に寄与することができる。
【００１８】
請求項６の発明によれば、画像記録面の最表層が、少なくとも顔料とバインダーとを含んでなるインク受容層であるため、例えばインクジェットプリンタ等のインクを用いた画像記録手段によって滲みのない鮮やかな画像を画像記録面上に表現することができる。
【００１９】
請求項７の発明によれば、画像記録後、蛇腹状に折り畳んだ画像記録媒体にカバーを付けて、１冊の体裁の良い簡易アルバムとすることができる。
【発明を実施するための最良の形態】
【００２０】
以下、本発明の実施形態を説明する。
図１は実施形態の画像記録媒体Ｓの構成図で、（ａ）は展開時の状態を示す平面図、（ｂ）は山折り谷折りすることで蛇腹状に折り畳んだ状態を示す斜視図、（ｃ）はより圧縮して蛇腹状に折り畳んだ状態を示す斜視図である。図２の（ａ）は図１（ａ）のＩＩａ部の拡大図、（ｂ）は（ａ）図のＩＩｂ−ＩＩｂ矢視断面図である。
【００２１】
図１（ａ）に示すように、この画像記録媒体Ｓは、例えば、基材上にインク受容層を積層してなるインクジェット用紙であり、表面が画像記録装置（例えばインクジェットプリンタ）による画像記録が可能な画像記録面Ｐとされている。この画像記録媒体Ｓは、帯状の長尺シート１に、長手方向に等間隔に、長手方向と直交する方向の複数の山折予定部２と谷折予定部３とを交互に設け、山折予定部２には、図２（ｂ）に示すように表面から裏面へ向けてシート１の厚みの途中までの深さに切り込まれ且つ幅方向に連続した連続ハーフカットライン２０を設け、前記谷折予定部３には、表面から裏面へ貫通するカット部３１と非カット部（アンカット部）３２とが交互に並ぶミシン目状の断続カットライン３０を設けたものである。画像記録面Ｐは、ユーザが自由に使えるようにインクジェット印刷及び手書きが可能な面となっている。
【００２２】
ミシン目状の断続カットライン３０と連続ハーフカットライン２０とを交互に配置する理由は、全部をミシン目状の断続カットライン３０とした場合、断続カットライン３０で山折りすると、折り曲げた部分に凹凸ができてしまい、外観が悪くなるからである。また、全部を表面側からの連続ハーフカットライン２０とした場合、ハーフカットライン３０で谷折りするのが難しくなるからである。従って、谷折予定部３にはミシン目状の断続カットライン３０を設け、山折予定部２には連続ハーフカットライン２０を、共にシート１の表面側から形成しているのである。なお、連続ハーフカットライン２０の切り込みの深さは、用紙厚の１／２〜４／５、好ましくは２／３程度にするのがよい。連続ハーフカットライン２０の切り込みが深過ぎると、折り曲げ部分で持ち上がりにくくなるものの、用紙の剛性が下がり、特に曲げたときに切れやすくなる。一方、切り込みが浅過ぎると、用紙の剛性が高くなり、用紙の持ち上がり量が大きくなって、プリント時に印刷ヘッドに衝突の可能性が出てくる。
【００２３】
上記インク受容層は、基材上に少なくとも無機粒子を含有するものである。上記基材としては、ポリエチレン、ポリプロピレン、ポリエチレンテレフタレート（PET）等のプラスチックフィルム、上質紙、コート紙、ラミネート紙等の紙材からなるシート等があげられる。
【００２４】
上記無機粒子としては、例えば、多孔性非晶質シリカ、多孔性非晶質アルミナ、多孔性非晶質炭酸マグネシウム等が好ましく用いられる。また、無機粒子の含有量は、インク受容層の乾燥重量に対して、好ましくは３０〜９０重量％である。
【００２５】
上記インク受容層には、無機粒子のバインダーとして、ポリビニルアルコール、酢酸ビニル、アクリルなどの水溶性高分子またはエマルジョンが含有される。バインダーの含有量は、上記多孔性無機粒子１００重量部に対して、好ましくは５〜６０重量部である。また、インク受容層には、必要に応じ、染料定着剤、蛍光増白剤、防カビ剤、防腐剤、界面活性剤、増粘剤、ｐＨ調整剤、消泡剤、硬膜剤、レベリング剤、紫外線吸収剤等の各種添加剤の1種又は2種以上を含有することができる。
【００２６】
インク受容層の形成には、無機粒子とバインダー等を含む塗工液を、ロールコーティング法、ロッドバーコーティング法、エアナイフコーティング法等の各種の方法で基材上に塗工することにより行うことが出来る。このときのインク受容層の厚みは、インク吸収性や粉落ち防止等の観点から、好ましくは１０〜６０μmである。また、インク受容層の質感、風合いなどは、特に限定されず、マット調でもよく、キャスト法により鏡面光沢仕上げされたような高光沢調のもの、あるいは半光沢調でもよい。
【００２７】
画像記録領域Ｈは、隣接する山折予定部２と谷折予定部３の間の長さＬ１の（４×奇数）倍の全長Ｌ２を有する。図示例の場合、１２枚綴りの帯状長手用紙として構成されているから、画像記録領域Ｈの全長はＬ２＝Ｌ１×４×３となる。画像記録領域Ｈの一端には、山折予定部２（連続ハーフカットライン２０）を介して耳４を連設することができる。この耳４は、アルバム化する際の閉じ代として使用する、またはプリンタに通紙する際の媒体支持の安定化に寄与するためのものである。
【００２８】
図２（ａ）を用いてミシン目状の断続カットライン３０の構成について述べる。
断続カットライン３０のカット部３１の長さａと非カット部３２の長さｂは、それぞれ、ほとんどの箇所で一定に設定されている。カットライン３０の全長に対するカット部３１の割合が少ないと、剛性が高くなって、プリント時に印字ヘッド擦れが生じる可能性があり、カットライン３０の全長に対するカット部３１の割合が多いと、折り曲げの耐久性が低くなる傾向がある。そこで、カット部３１と非カット部３２の長さａ、ｂの比は、
カット部ａ：アンカット部ｂ＝１：１〜４：１
程度の範囲に設定されている。
【００２９】
なお、耐久性低下を避けるため、シート１の縁にカット部３１がかからないように、カットラインの両端には適当長ｄの非カット部３４が来るように設定されている。また、カット部３１が通常長さの非カット部３２と交互に５つ並ぶ毎に、通常の非カット部３２の長さよりも長い、好ましくは非カット部３２の２倍以上の長さを有する非カット部３３が設けられている。このように、長さの長い非カット部３３を適当な間隔で混ぜることで、折り曲げ部の強度アップを図ることができる。
【００３０】
次に作用を説明する。
この画像記録媒体Ｓは、画像記録面Ｐに対して画像を印刷した後に、図１（ｂ）、（ｃ）に示すように、全部の山折予定部２で山折りし、谷折予定部３で谷折りすることにより、最小の大きさに蛇腹状に折り畳むことができる。従って、そのままの状態で簡易アルバムの体裁にすることができる。また、折り曲げ部を適当に伸ばすことにより、見開き画像やパノラマ画像を閲覧することもできる。
【００３１】
また、この画像記録媒体Ｓの場合、山折予定部２には連続ハーフカットライン２０を設け、谷折予定部３にはミシン目状の断続カットライン３０を設けているので、たやすくきれいに蛇腹状に折り畳むことができ、各辺をずれなく揃えることができて、見栄えもよくなる。特に、山折予定部２は、表面側から形成した連続ハーフカットライン３０で折り曲げることができるので、ミシン目と違い、体裁の良い簡易アルバムを作成することができる。また、谷折予定部３には、表面から裏面へ貫通するカット部３１と非カット部３２、３３とが交互に並ぶミシン目状の断続カットライン３０を設けたので、山折予定部２の連続ハーフカットライン２０を含めて全てのカットラインを、表面側から（同一方向から）加工することができ、製作の容易化を図ることができる。
【００３２】
また、断続カットライン３０の非カット部のなかに、他の非カット部３２の長さよりも２倍以上長い非カット部３３を適当な間隔で混ぜているので、折り曲げ部の耐久性を高めることができる。
【００３３】
図３（ａ）はこのように折り畳んだ画像記録媒体Ｓを製本化するためのカバー５０の展開図である。このカバー５０は、図３（ｂ）に示すように、画像記録媒体Ｓを前述のように最小の大きさに折り畳んだとき、それを挟むことができる大きさのもので、２枚の矩形の表紙部５１、５１と、その間に挟まれた背表紙部５２とを有しており、表紙部５１と背表紙部５２の境界には、それぞれ折り曲げを容易にするための折曲部５４が設けられている。外面側から山折りするので、この折曲部５４には、連続ハーフカットライン２０が設けられている。なお、カバーの外面に印刷することを考え、外面側に画像記録層を設けるのが望ましい。
【００３４】
また、図４（ａ）はこのように折り畳んだ画像記録媒体Ｓを製本化するためのカバー５０の変形例の展開図である。図４（ａ），図４（ｂ）に示すように、このカバー５０の各表紙部５１の端縁に連設された折り返し部５３が設けられていてもよい。この場合には、表紙部５１と折り返し部５３の境界にも、折り曲げを容易にするための折曲部５４が設けられている。外面側から山折りするので、この折曲部５４には、連続ハーフカットライン２０が設けられている。なお、カバーの外面に印刷することを考え、外面側に画像記録層を設けるのが望ましい。
【００３５】
このような構成のカバー５０を用いることにより、蛇腹状に折り畳んだ画像記録媒体Ｓを製本化して、簡単にフォトアルバムを作ることができる。なお、製本時の容易さ、製本後の美観等を考慮すると、折り返し部５３が設けられているほうが好ましい。
【００３６】
ところで、この画像記録媒体Ｓは、ユーザによる画像印刷を考えた場合、できるだけ折り畳まない形で商品としてパッケージ化するのが望ましいが、実際は長尺の製品であるため、折り畳まない状態で商品化することは難しい。そこで、商品パッケージを作る場合は、例えば、図５に示すような形に折り畳む。即ち、画像記録領域Ｈの全長Ｌ２の１／２の位置にある山折予定部２Ａで山折りし、その山折りした位置の両側の全長の１／２の領域の更に各１／２の位置にある谷折予定部３Ａ、３Ａで谷折りすることにより、画像記録面Ｐ（表面）を内側に向かい合わせながら４つに折り畳む。図５において、白丸は山折予定部、黒丸は谷折予定部である。
【００３７】
このように構成することで、山折予定部２で山折りし、谷折予定部３で谷折りすることができ、画像記録面Ｐ（表面）を内側に向かい合わせながら折り畳むことができる。従って、無理な折りぐせをつけずに、全部の画像記録面Ｐを保護しながら、できるだけ小さい形での商品化が可能になる。また、４つ折りに畳むことで、山折り部が１箇所で済むので、プリンタに通紙する際に引っ掛かりが少なくなり、画質の劣化を少なくできる。なお、耳４は、隣りの山折予定部２Ｂを山折りすることで、他の面に沿わせることができる。この耳部は画像記録を予定しない箇所であるので、画像記録面が表に露出していても問題はない。
【００３８】
前述の画像記録媒体Ｓとカバー５０は、図６のようにセットでパッケージ化し、商品化するのがよい。そうすれば、画像記録媒体Ｓに対する画像記録後、蛇腹状に折り畳んだ画像記録媒体Ｓにカバー５０を付けるだけで、１冊の体裁の良い簡易アルバムを作ることができる。
【００３９】
なお、商品パッケージの段階の折り畳み方はとくに限定されるものではなく、種々の形態を採り得る。図７はその例を示している。図において、白丸は山折予定部、黒丸は谷折予定部である。
【００４０】
（ａ）の例では、全部の山折予定部２を山折りし、谷折予定部３を谷折りすることで、最小の大きさに折り畳んでいる。この折り畳み方によれば、無理な折り曲げぐせを付けずに、画像記録面Ｐを保護することができるものの、山折り部の箇所が多くなるので、印字する際に不都合を来す可能性があり、あまり好ましくない。また、（ｂ）〜（ｅ）の例では、山折予定部２や谷折予定部３を反対折りしている。従って、あまり好ましくない。また、（ｆ）の例では、山折予定部２を山折りしているが、画像記録面Ｐが外側に露出するので、あまり好ましくない。従って、図６に示すように折り畳むのが最良と言える。
【００４１】
なお、上記実施形態では、画像記録媒体Ｓの表面側にのみ画像記録層がある場合について述べたが、裏面側に画像記録層があってよい。
【図面の簡単な説明】
【００４２】
【図１】本発明の実施形態の画像記録媒体Ｓの構成図で、（ａ）は展開時の状態を示す平面図、（ｂ）は山折り谷折りすることで蛇腹状に折り畳んだ状態を示す斜視図、（ｃ）はより圧縮して蛇腹状に折り畳んだ状態を示す斜視図である。
【図２】（ａ）は図１（ａ）のＩＩａ部の拡大図、（ｂ）は（ａ）図のＩＩｂ−ＩＩｂ矢視断面図である。
【図３】（ａ）はカバーの展開図、（ｂ）はカバーと画像記録媒体Ｓの組み合わせの説明図である。
【図４】（ａ）はカバーの展開図、（ｂ）はカバーと画像記録媒体Ｓの組み合わせの説明図である。
【図５】図１（ａ）の画像記録媒体の商品パッケージ段階での折り畳み方を示す模式図である。
【図６】画像記録媒体とカバーを商品パッケージ化する場合の説明図である。
【図７】（ａ）〜（ｆ）は画像記録媒体の他の折り畳み方の例を示す模式図である。
【符号の説明】
【００４３】
Ｓ  画像記録媒体
Ｐ  画像記録面
１  シート
２  山折予定部
３  谷折予定部
４  耳
２０  連続ハーフカットライン
３０  断続カットライン
３１  カット部
３２，３３  非カット部
５０  カバー
【図１】
2005074813.tif 000003
【図２】
2005074813.tif 000004
【図３】
2005074813.tif 000005
【図４】
2005074813.tif 000006
【図５】
2005074813.tif 000007
【図６】
2005074813.tif 000008
【図７】
2005074813.tif 000009